(57)【特許請求の範囲】
【請求項１】
（ａ）球形に構築されるラチスドームの球面上に定めた一の節点（Ｍ）と、これに隣接する他の節点（Ｎ）との２節点、及び前記球形の中心（Ｏ）とを含む平面に沿って前記球面を切断して得られる円弧（Ｍ⌒Ｎ）の範囲内でラチス部材（１）の軸線の形態及び長さを定め、
（ｂ）前記の節点（Ｍ）又は（Ｎ）と前記球形の中心（Ｏ）とを結ぶ直線（Ｍ−Ｏ）又は（Ｎ−Ｏ）を垂線とし、同球形の中心（Ｏ）を頂点とする円錐形に沿って前記球面を切断した球面の一部の円弧（ａ⌒ｂ）の範囲内で、当該節点（Ｍ）又は（Ｎ）に位置させる接合用部材（２）の形態と大きさを定め、
（ｃ）前記ラチス部材（１）と接合用部材（２）とを繋ぐ接触面（１ａ）（２ａ）の位置及び角度は、上記（ａ）で定めたラチス部材(1)の軸線と垂直な平面として定め、
（ｄ）上記（ａ）のように定めたラチス部材（１）の軸線の形態及び長さ、並びに上記（ｃ）のように定めた接触面（１ａ）の位置及び角度の通りに製作したプレキャストコンクリート製のラチス部材（１）を用意し、
（ｅ）上記（ｂ）のように定めた接合用部材（２）の形態と大きさ、及び上記（ｃ）のように定めた接合用部材（２）の接触面（２ａ）の位置及び角度の通りに製作したプレキャストコンクリート製の接合用部材（２）を用意し、
（ｆ）上記の節点（Ｍ）又は（Ｎ）に上記の接合用部材（２）を位置させ、前記の接合用部材（２）に向かって集散する角度、配置とした上記のラチス部材（１）の接触面（１ａ）を前記接合用部材（２）の接触面（２ａ）へ突き合わせ接合してコンクリートラチスドームを構築することを特徴とする、コンクリートラチスドームの構築構法。
【発明の詳細な説明】
【０００１】
【発明の属する技術分野】
この発明は、ラチスドームをプレキャストコンクリート部材で組立てるコンクリートラチスドームの構築構法に関する。
【０００２】
【従来の技術】
従来、コンクリートラチスドームをプレキャストコンクリート部材で構築した例はない。
【０００３】
従来のラチスドームの組み立て構法は、図２中に点線Ｔで表現したように、球形に構築されるラチスドームの球面（架構面）の一部を一定の法則に従って分割して節点位置を定め、前記の各節点間を直線部材で繋いで組み立てる考えが一般的であった。
【０００４】
【本発明が解決しようとする課題】
ところが、従来の上記組立構法によると、節点位置の定め方、及びラチス材の長さの如何によって部材の接合角度の種類が非常に多くなり、その製作が面倒である上に、接合用部材分に要する手間とコストが多大になるという欠点、問題点がある。
【０００５】
したがって、本発明の目的は、球面（架構面）の一部をなす曲率で、接合角度がすべて等しい曲線部材としたラチス部材と、同じく球面の一部をなす曲率で前記ラチス部材とは全て等しい角度で接合可能で、ラチス部材との接合が容易で安価なプレキャストコンクリート製の接合用部材とにより組み立てるコンクリートラチスドームの構築構法を提供することである。
【０００６】
【課題を解決するための手段】
上記従来技術の課題を解決するための手段として、請求項１記載の発明に係るコンクリートラチスドームの構築構法は、
（ａ）球形に構築されるラチスドームの球面上に定めた一の節点Ｍと、これに隣接する他      の節点Ｎとの２節点、及び前記球形の中心Ｏとを含む平面に沿って前記球面を切断      して得られる円弧Ｍ⌒Ｎの範囲内でラチス部材１の軸線の形態及び長さを定め、
（ｂ）前記の節点Ｍ又はＮと前記球形の中心Ｏとを結ぶ直線（Ｍ−Ｏ）又は（Ｎ−Ｏ）を      垂線とし、同球形の中心Ｏを頂点とする円錐形に沿って前記球面を切断した球面の 一部の円弧ａ⌒ｂの範囲内で、当該節点Ｍ又はＮに位置させる接合用部材２の形態      と大きさを定め、
（ｃ）前記ラチス部材１と接合用部材２とを繋ぐ接触面１ａ、２ａの位置及び角度は、上 記（ａ）で定めたラチス部材１の軸線と垂直な平面として定め、
（ｄ）上記（ａ）のように定めたラチス部材１の軸線の形態及び長さ、並びに上記（ｃ）      のように定めた接触面１ａの位置及び角度の通りに製作したプレキャストコンクリ      ート製のラチス部材１を用意し、
（ｅ）上記（ｂ）のように定めた接合用部材２の形態と大きさ、及び上記（ｃ）のように      定めた接合用部材２の接触面２ａの位置及び角度の通りに製作したプレキャストコ      ンクリート製の接合用部材２を用意し、
（ｆ）上記の節点Ｍ又はＮに上記の接合用部材２を位置させ、前記の接合用部材２に向か って集散する角度、配置とした上記のラチス部材１の接触面１ａを前記接合用部材 ２の接触面２ａへ突き合わせ接合してコンクリートラチスドームを構築することを      特徴とする。
【０００７】
【発明の実施の形態】
請求項１記載の発明は、図１のように中心Ｏを有する球形のドームの骨組みをプレキャストコンクリート部材で組み立てる構築構法として好適に実施される。
【０００８】
図２に例示したように、前記球形のラチスドームの架構面（球面）に一つの節点Ｍと、これに隣接する他の節点Ｎとを定め、これら二つの節点Ｍ、Ｎと、前記球形の中心Ｏとを含む平面によって前記球面を切断し、同平面に沿って得られた円弧Ｍ⌒Ｎの範囲内でラチス部材１の軸線の形態を定め、且つラチス材１の長さを定める。円弧Ｍ⌒Ｎは正に球面上の線分である。
【０００９】
同様に、前記の各節点Ｍ、Ｎに位置させる接合用部材２についても、当該節点Ｍ又はＮと前記球形の中心Ｏとを結ぶ直線（Ｍ−Ｏ）又は（Ｎ−Ｏ）を垂線とし、前記球形の中心Ｏを頂点とする円錐形によって前記球面を切断した球面の一部の円弧ａ⌒ｂの範囲内で接合用部材２の形態と大きさを定める。
【００１０】
更に、前記ラチス部材１と接合用部材２とを繋ぐ接触面１ａ、２ａ（図７を参照）の位置（接合位置）及び角度は、前記ラチス部材１の軸線（正確には軸線端部の接線）と垂直な平面として定める。
【００１１】
よって、ラチス部材１が接合用部材２に向かって集散する角度や本数は、図５又は図６のように多種多様であっても、両者の接触面１ａと２ａの接合角度は同一になるから、容易に突き合わせ接合できる訳である。
【００１２】
要するに、上記の２節点（Ｍ−Ｎ）間を繋ぐラチス部材１の軸線は、前記球形ラチスドームの中心Ｏを共有し、２節点Ｍ、Ｎを通る円弧と同一曲率の曲線部材となり、全てのラチス部材１の軸線の曲率は球形の曲率と同一となり、共通化する。また、ラチス部材１の軸線と球形の中心Ｏを含む平面内では、ラチス部材１の両端を接合用部材２と接触させ接合する接触面１ａの角度もすべて等しくなり、共通化する。
【００１３】
同様に、接合用部材２も、球形ラチスドームの中心Ｏを共有し、球面の一部に等しい（同一曲率の）球面部材となる。従って、やはり全ての接合用部材２は、曲率が球形の曲率と同一となり、共通化する。そして、接合用部材２の前記球面と球形の中心Ｏを含む部分では、ラチス部材１と接触させ接合する接触面２ａの角度もすべて等しくなり、共通化する。
【００１４】
従って、上記のラチス部材１の製作は次のように行える。
【００１５】
図３Ａ、Ｂ、Ｃに示した１種類の型枠３を共通に使用して、全てのラチス部材１をプレキャストコンクリート部材として製作することができる。即ち、ラチス部材１を製作するコンクリート型枠３は、上記した２節点Ｍ、Ｎ間を繋ぐラチス部材１の軸線が、球形ドームの中心Ｏを共有し、当該２節点Ｍ、Ｎを通る円弧Ｍ⌒Ｎの曲線部材と等しい形態に型枠３の下面３ａと両側面３ｂを形成し組み立てる。そして、各ラチス部材１の材長に応じて接合用部材２との接触面１ａの位置を定め、その位置に端面材３ｃを固定する。従って、個々のラチス部材１に固有の型枠は発生しない。接触面１ａの位置を定める端面材３ｃの位置を材長方向に定める調整を行うことにより、共通の型枠３により全てのラチス部材１を共通化してプレキャストコンクリート部材として製造することが出来る。
【００１６】
同様に、節点Ｍ、Ｎに位置させる全ての接合用部材２も、図４Ａ、Ｂ、Ｃに示した１種類の型枠４を共通に使用してプレキャストコンクリート部材として製作することができる。即ち、上記段落番号［０００９］で説明したように、球形ラチスドームの中心Ｏと、上記節点Ｍ、Ｎを結ぶ直線Ｍ−Ｏ又はＮ−Ｏを垂線とし、球形の中心Ｏを頂点とする円錐形に沿って球面の一部を円形に切り取ったに等しい台部材を型枠４の下面部４ａとする。そして、上記ラチス部材１の軸線と同一の曲率を有する側面部４ｂと端面部４ｃとで構成した複合部材で前記下面部４ａの上面を区分する。前記複合部材で前記下面部４ａの上面を区分するにあたり、当該接合用部材２（節点Ｍ、Ｎ）を中心としてラチス部材１が取り付く放射（集散）角度と本数は様々であるが、そうした角度と本数に従って前記の複合部材を配置する。しかる後、前記のように配置した複合部材における側面部４ｂの隣接するもの同士の隙間を、相当大きさの仕切り材４ｄで閉塞することによって、型枠４は、全ての接合用部材２の製作に共通な構成となり、固有の構成片は仕切り材４ｄのみとなる。
【００１７】
上記構成の型枠３及び４でプレキャストコンクリート部材として製作されたラチス部材１と接合用部材２は、図７のように垂直断面として見た接触面１ａ、２ａの接合角度は共通であるから、接合角度は１種類となり、接合方法も作業も共通化され、安価に容易にラチスドームを組み立てることができる。
【００１８】
ちなみに、前記ラチス部材１と接合用部材２との接合は、出願人が同時に別出願した発明のように、剛なＰＣ鋼棒、又は剛性が極めて低いストランド鋼材をやはりシースへ通しプレストレストコンクリート圧着工法として定着する方法などを好適に実施することができる。
【００１９】
【本発明が奏する効果】
請求項１記載の発明に係るコンクリートラチスドームの構築構法は、ラチス部材１及び接合用部材２をプレキャストコンクリート部材として製造するための型枠３、４が、それぞれ基本的に１種類で済み、建設費用の低減を図れると共に、両者の接触面１ａ、２ａの接合角度が同一になり、接合作業が平準化され、接合が容易となり、コストの低減と共に、工期の短縮にも寄与する。
【図面の簡単な説明】
【図１】  コンクリートラチスドームの一例を示した斜視図である。
【図２】  前記ラチスドームにおけるラチス部材と接合用部材の定め方を説明する線図である。
【図３】  Ａ、Ｂ、Ｃはラチス部材を製造する型枠の平面図と正面図及び斜視図である。
【図４】  Ａ、Ｂ、Ｃは接合用部材を製造する型枠の斜視図と平面図及び正面図である。
【図５】  図１のＡ部の拡大した斜視図である。
【図６】  図１のＡ部の拡大した平面図である。
【図７】  図６のＢ−Ｂ線矢視の断面図である。
【符号の説明】
Ｍ、Ｎ    節点
Ｏ        中心
１        ラチス部材
２        接合用部材
３        型枠
４        型枠
１ａ、２ａ   接触面
【図１】
0004044685.tif 000002
【図２】
0004044685.tif 000003
【図３】
0004044685.tif 000004
【図４】
0004044685.tif 000005
【図５】
0004044685.tif 000006
【図６】
0004044685.tif 000007
【図７】
0004044685.tif 000008